【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
シート状媒体を排出する第１の排出手段と、この第１の排出手段によるシート状媒体の排出方向（以下、第１の排出方向という）での下流側に配置され、当該第１の排出手段から排出されるシート状媒体を前記第１の排出方向とは異なる第２の方向に案内する案内手段とを備えたシート状媒体搬送装置において、
前記案内手段は、前記第１の排出手段から排出されるシート状媒体を前記第２の方向に案内する案内位置と、
前記第１の排出手段から排出されるシート状媒体が前記第２の方向へ排出されることを阻止する退避位置とに、選択的に移動可能なシート状媒体の案内部材と、
前記案内部材を前記案内位置と前記退避位置とに選択的に移動させる案内部材の駆動手段とを有し、
前記第１の排出手段から排出されるシート状媒体が前記案内部材に到達する前に、当該案内部材を前記案内位置に移動するように、前記駆動手段を制御することを特徴とするシート状媒体排出装置。
【請求項２】
請求項１記載のシート状媒体排出装置において、
シート状媒体の先端部が前記案内部材により案内された後に、前記案内部材を前記退避位置に移動させ、シート状媒体の後端部が前記案内部材に搬送されてくる前に、再び当該案内部材を前記案内位置に移動するように、前記駆動手段を制御することを特徴とするシート状媒体排出装置。
【請求項３】
請求項１又は２記載のシート状媒体排出装置において、
前記駆動手段に通電されたときに、前記案内部材が前記案内位置に移動され、前記通電が遮断されたときに前記案内部材が前記退避位置に移動されることを特徴とするシート状媒体排出装置。
【請求項４】
請求項１乃至３の何れかに記載のシート状媒体排出装置において、
前記案内部材は、付勢手段による付勢力によって前記案内位置から前記退避位置に移動させられることを特徴とするシート状媒体排出装置。
【請求項５】
請求項１乃至４の何れかに記載のシート状媒体排出装置において、
前記案内部材により案内されたシート状媒体を排出する第２の排出手段と、前記案内部材により案内されたシート状媒体を、前記第１の排出手段の排出方向と同じ方向に変更して前記第２の排出手段に案内する搬送経路とを備えたことを特徴とするシート状媒体排出装置。
【請求項６】
請求項１乃至５の何れかに記載のシート状媒体排出装置において、
前記案内部材には、当該案内部材が前記退避位置にあるときに、シート状媒体に当接する回転体が設けられていることを特徴とするシート状媒体排出装置。
【請求項７】
帯電、露光、現像、転写などの画像形成プロセスを経てシート状媒体に画像を形成する画像形成装置において、
前記請求項１乃至６の何れかに記載のシート状媒体排出装置を具備したことを特徴とする画像形成装置。
【手続補正２】
【補正対象書類名】明細書
【補正対象項目名】０００７
【補正方法】変更
【補正の内容】
【０００７】
【課題を解決するための手段】
本発明は、前記目的を達成するため、以下の構成とした。
（１）．シート状媒体を排出する第１の排出手段と、この第１の排出手段によるシート状媒体の排出方向（以下、第１の排出方向という）での下流側に配置され、当該第１の排出手段から排出されるシート状媒体を前記第１の排出方向とは異なる第２の方向に案内する案内手段とを備えたシート状媒体搬送装置において、前記案内手段は、前記第１の排出手段から排出されるシート状媒体を前記第２の方向に案内する案内位置と、前記第１の排出手段から排出されるシート状媒体が前記第２の方向へ排出されることを阻止する退避位置とに、選択的に移動可能なシート状媒体の案内部材と、前記案内部材を前記案内位置と前記退避位置とに選択的に移動させる案内部材の駆動手段とを有し、前記第１の排出手段から排出されるシート状媒体が前記案内部材に到達する前に、当該案内部材を前記案内位置に移動するように、前記駆動手段を制御するシート状媒体排出装置とした（請求項１）。
（２）.（１）記載のシート状媒体排出装置において、シート状媒体の先端部が前記案内部材により案内された後に、前記案内部材を前記退避位置に移動させ、シート状媒体の後端部が前記案内部材に搬送されてくる前に、再び当該案内部材を前記案内位置に移動するように、前記駆動手段を制御することとした（請求項２）。
（３）．（１）又は（２）記載のシート状媒体排出装置において、前記駆動手段に通電されたときに、前記案内部材が前記案内位置に移動され、前記通電が遮断されたときに前記案内部材が前記退避位置に移動されることとした（請求項３）。
（４）．（１）乃至（３）の何れかに記載のシート状媒体排出装置において、前記案内部材は、付勢手段による付勢力によって前記案内位置から前記退避位置に移動させられることとした（請求項４）。
（５）．（１）乃至（４）の何れかに記載のシート状媒体排出装置において、前記案内部材により案内されたシート状媒体を排出する第２の排出手段と、前記案内部材により案内されたシート状媒体を、前記第１の排出手段の排出方向と同じ方向に変更して前記第２の排出手段に案内する搬送経路とを備えた（請求項５）。
（６）．（１）乃至（５）の何れかに記載のシート状媒体排出装置において、前記案内部材には、当該案内部材が前記退避位置にあるときに、シート状媒体に当接する回転体を設けた（請求項６）。
（７）．帯電、露光、現像、転写などの画像形成プロセスを経てシート状媒体に画像を形成する画像形成装置において、（１）乃至（６）の何れかに記載のシート状媒体排出装置を具備した（請求項７）。
【手続補正３】
【補正対象書類名】明細書
【補正対象項目名】００１４
【補正方法】変更
【補正の内容】
【００１４】
図３において、画像形成部１には、当該画像形成装置を電気的に駆動したり、制御したりする電装ユニットＥ、Ｆが配置されている。また、ドラム状をした感光体５が配置されている。感光体５の周囲には、該感光体５の表面に帯電処理を行う帯電装置６、画像情報を感光体表面にレーザ光で照射する露光装置７、感光体５の表面に露光されて形成された静電潜像を可視化する現像装置８、感光体５上で可視化されたトナー像を用紙に転写する転写装置９、転写後感光体表面に残留するトナーを除去回収するクリーニング装置１０等がそれぞれ配置されている。感光体５の略上方であって、感光体５よりも用紙搬送経路の下流には、定着装置１１が配置されている。
【手続補正４】
【補正対象書類名】明細書
【補正対象項目名】００４１
【補正方法】変更
【補正の内容】
【００４１】
このように、上ガイド部材１０１は除電部材２００を支持する第１の支持部１８０、１９０と、用紙を所定の排出方向に向けて排出する排出ローラ５０を構成する上ローラ１２０の位置を下ローラ１３２との所定の関係をもたせて支持する支持部１７０Ａ、１７０Ｂと、用紙を排出ローラ５０へ導くガイド１１０を一体成型により形成しているので、これらの位置関係を正確に確保することができ、従って、除電ブラシ２０２を用紙に対して確実に適度の接触圧を以って接触させて、効率よく除電を行なうことができる。
【手続補正５】
【補正対象書類名】明細書
【補正対象項目名】００４８
【補正方法】変更
【補正の内容】
【００４８】
ガイド部材１０１を画像形成装置の本体に固定したとき、金属製のブラケット１５０に固定された金属軸１５１の先端小径部が支持部１７０Ｂに開けられた穴１０６に嵌合し、該金属軸１５１に枢着されたアイドル歯車１１８が歯車１１９と噛み合い状態となる。アイドル歯車１１８はブラケット１５０に固定されたモータＭＯの出力軸に固定された歯車１１７と噛み合わされている。
【手続補正６】
【補正対象書類名】明細書
【補正対象項目名】００９２
【補正方法】変更
【補正の内容】
【００９２】
このようにしないで、仮に、図８において、爪Ｇ１及び排出ローラ１２の配置はそのままで、ソレノイドＳＯＬの向き及びスプリング１４３の向きだけを図８に示す位置と反対に配置し、レシービングトレイＴに用紙を排出しようとするときにはソレノイドＳＯＬの通電を遮断（オフ）にし、スプリングの力によって爪Ｇ１を図１、図１０に示すように案内位置に移動させ、排出収納部４に用紙を排出しようとするときにはソレノイドＳＯＬを通電（オン）にしてソレノイドＳＯＬの力によって爪Ｇ１を図１２に示す退避位置に移動することもできる。
【手続補正７】
【補正対象書類名】明細書
【補正対象項目名】０１０９
【補正方法】変更
【補正の内容】
【０１０９】
【発明の効果】
請求項１、２記載の発明では、シート状媒体の先端部が案内部材により案内された後に、案内部材を退避位置に移動させ、用紙後端部が案内部材に搬送されてくる前に、再び当該案内部材を案内位置に移動するように、駆動手段を制御するので、用紙の後端部がカールすることがなく、スタックが円滑に行なわれる。
【手続補正８】
【補正対象書類名】明細書
【補正対象項目名】０１１０
【補正方法】変更
【補正の内容】
【０１１０】
請求項３記載の発明では、駆動手段への通電、通電の遮断という簡単な制御により、シート状媒体の排出先を切り換えることができる。
【手続補正９】
【補正対象書類名】明細書
【補正対象項目名】０１１１
【補正方法】変更
【補正の内容】
【０１１１】
請求項４記載の発明では、付勢手段による付勢力により案内部材を案内位置から退避位置へ移動するように付勢しているので、剛性の高いシート状媒体を搬送するとき、該シート状媒体が案内部材に干渉摺接するときに付勢手段の付勢力に抗して案内部材が逃げることで、摺接時の圧力が減少し、シート状媒体の損傷をなくすことができる。
【手続補正１０】
【補正対象書類名】明細書
【補正対象項目名】０１１２
【補正方法】変更
【補正の内容】
【０１１２】
請求項５記載の発明では、案内部材の駆動手段を定着装置の外部に設けることが可能となり、定着装置の温度の影響を受けず、高価な耐熱材を用いることなくシート状媒体排出装置を構成することができ、これを組み込んだ画像形成装置では高さ寸法が抑えられ、コンパクト化を図ることができる。
【手続補正１１】
【補正対象書類名】明細書
【補正対象項目名】０１１３
【補正方法】変更
【補正の内容】
【０１１３】
請求項６記載の発明では、案内部材には、退避位置において搬送中のシート状媒体に回転体が接して回転するので、摺接音を無くすことができる。
【手続補正１２】
【補正対象書類名】明細書
【補正対象項目名】０１１４
【補正方法】変更
【補正の内容】
【０１１４】
請求項７記載の発明では、駆動手段の駆動時間を減少させると共に、案内部材とシート状媒体との摺接音を低減し、かつ、シート状媒体の後端部におけるカールの発生が無く、スタック性が良好で、コンパクトな画像形成装置を提供することができる。